(57)【要約】      （修正有）【課題】コンクリートの断面修復の容易化と、充填した断面修復材の剥落防止を図る断面修復用補強金具を提供する。【解決手段】コンクリートに穿孔した穴に固定されるアンカーピン２と、その基端部に設けられ、アンカーピンと一体的に形成された笠部材３と、を有し、笠部材は、放射方向に向かって複数本の骨竿７を備える。笠部材３がアンカーピン２と一体なので、元のコンクリート躯体との界面で剥落するおそれもなく、断面修復材の剥落を防止できる。また、笠部材３は放射方向に向かって複数本の骨竿７が形成されているので、アンカーピンをコンクリートに穿孔された穴に固定した状態で、断面欠損部に断面修復材を充填した場合でも、断面修復材は、笠部材３の骨竿７と骨竿の間を介して、アンカーピンの先端部側に充填することができる。【選択図】図１
0003177016.tif 000002
【実用新案登録請求の範囲】
【請求項１】
コンクリートの剥離箇所に断面修復材を充填する断面修復工事に使用するコンクリートの断面修復用補強金具であって、
コンクリートに穿孔した穴に固定されるアンカーピンと、
該アンカーピンの基端部に設けられ、該アンカーピンと一体的に形成された笠部材と、を有し、
該笠部材は、放射方向に向かって複数本の骨竿が形成されているコンクリートの断面修復用補強金具。
【請求項２】
前記アンカーピンは、芯棒を打設することにより該アンカーピンの先端部の拡張部を拡張することが可能な芯棒打込み式アンカーであることを特徴とする請求項１記載のコンクリートの断面修復用補強金具。
【請求項３】
前記笠部材の骨竿は、放射方向に向かうに従い、前記アンカーピンの先端部方向に湾曲することを特徴とする請求項１または請求項２記載のコンクリートの断面修復用補強金具
【考案の詳細な説明】
【技術分野】
【０００１】
本考案は、コンクリートの剥離箇所に断面修復材を充填する断面修復工事に使用するコンクリートの断面修復用補強金具に関する。
【背景技術】
【０００２】
従来から、コンクリートの剥離箇所に断面修復材を充填する断面修復工事に使用するコンクリートの断面修復用補強金具が知られている。
【０００３】
この種のコンクリートの断面修復用補強金具として、コンクリート構造物の補修金具が従来から知られている（図７参照）。ここで、図７（ａ）は従来のコンクリート構造物の補修金具のアンカー部品を示す図であり、図７（ｂ）は同コンクリート構造物の補修金具の羽根部材の断面図であり、図７（ｃ）は同羽根部材の底面図を示す図である。このコンクリート構造物の補修金具は、基端部に雄ネジを設けられたアンカー１１と、アンカー１１の雄ネジに結合した連結用ナット１１３と、連結用ナット１１３に取り付ける羽根部材１３０とからなるものであった。そして、アンカー１１の連結用ナット１１３に結合する羽根部材１３０は、取付円板１３１に複数本の骨竿１３２を放射方向に向けて固着したものであり、その取付円板１３１は中心部にあけた取付孔１３３を介して皿ネジ１３４によりアンカー１１の連結用ナット１１３にネジ結合されるものであった。この羽根部材１３０の骨竿１３２は、取付円板１３１平面直角方向に形成した取付凹部１３５に接合して位置決めされ、その位置に溶接して固着されている。
【０００４】
このコンクリート構造物の補修金具を用いた補修方法として、まずコンクリート躯体にアンカー１１を固着し、続いてアンカー１１に連結用ナット１１３が取り付けられる。そして、連結用ナット１１３の雌ネジ内に補修材が侵入しないようにキャップを嵌め、空洞部内に補修材を連結用ナット１１３の高さと同程度の高さまで充填する。それから連結用ナット１１３からキャップを外し、その連結用ナット１１３に羽根部材１３０を結合し、さらに空洞部にはコンクリート躯体の表面と同じ高さまで補修材を充填して補修作業を完了させるものであった。
【先行技術文献】
【特許文献】
【０００５】
【特許文献１】特開２００２−１１５４００号公報
【考案の概要】
【考案が解決しようとする課題】
【０００６】
上述した従来のコンクリート構造物の補修金具では、アンカー１１の雄ネジに連結用ナット１１３を結合し、連結用ナット１１３に羽根部材１３０を取り付ける構成であるので、コンクリート構造物の補修工程において、アンカー１１に連結用ナット１１３を取り付ける工程、連結用ナット１１３の雌ネジ内にキャップを嵌め込む工程、連結用ナット１１３からキャップを外す工程、そして連結用ナット１１３に羽根部材１３０を結合する工程が必要となり、コンクリート躯体の空洞部といった狭い空間で、これらの作業を行うのはとても煩雑で手間が大きかった。
【０００７】
また、連結用ナット１１３の雌ネジ内にキャップを嵌めて、空洞部内に補修材を連結用ナット１１３の高さと同程度の高さまで充填した後、連結用ナット１１３からキャップを外し、その連結用ナット１１３に羽根部材１３０を結合して、空洞部にコンクリート躯体の表面と同じ高さまで補修材を充填するものであったので、キャップを取り外しする工程、補充材を２回に分けて充填する工程が必要になり、作業時間が増大するものであった。
【０００８】
さらに、アンカー１１と連結用ナット１１３をネジ結合するとともに、連結用ナット１１３と羽根部材１３０をネジ結合しているので、ネジ結合が不十分な場合には、充填した補修材が元のコンクリート躯体との界面で剥落するおそれがあるという問題もあった。特に、補修材を充填した後においては、ネジ結合が不十分か否かを確認することができないことから、施工の依頼主にとって不安要素となる。  
【０００９】
本考案は、上記問題点に鑑みてなされたもので、コンクリートの断面修復の施工を容易にするとともに、充填した断面修復材が剥落しないようにするコンクリートの断面修復用補強金具を提供することを目的とする。
【課題を解決するための手段】
【００１０】
上記課題を解決し上記目的を達成するために、本考案のうち第１の態様に係るものは、コンクリートの剥離箇所に断面修復材を充填する断面修復工事に使用するコンクリートの断面修復用補強金具であって、コンクリートに穿孔した穴に固定されるアンカーピンと、アンカーピンの基端部に設けられ、アンカーピンと一体的に形成された笠部材と、を有し、笠部材は、放射方向に向かって複数本の骨竿が形成されているものである。
【００１１】
本考案によれば、笠部材がアンカーピンと一体的に形成されているので、従来のような工程（アンカー１１に連結用ナット１１３を取り付ける工程、連結用ナット１１３の雌ネジ内にキャップを嵌め込む工程、連結用ナット１１３からキャップを外す工程、連結用ナット１１３に羽根部材１３０を結合する工程）が不要となり、コンクリートの断面修復の施工を容易に行うことができ、作業時間も短縮することができる。また、笠部材がアンカーピンと一体的に形成されているので、笠部材とアンカーピンとがネジ結合で形成された場合のように断面修復材が元のコンクリート躯体との界面で剥落するおそれもなく、断面修復材の剥落を防止することができる。また、笠部材は放射方向に向かって複数本の骨竿が形成されているので、アンカーピンをコンクリートに穿孔された穴に固定した状態で、断面欠損部に断面修復材を充填した場合でも、断面修復材は、笠部材の骨竿と骨竿の間を介して、アンカーピンの先端部側に充填することができる。これにより、断面欠損部の全域に容易に断面修復材を充填することができる。
【００１２】
本考案のうち第２の態様に係るものは、第１の態様に係るコンクリートの断面修復用補強金具であって、前記アンカーピンは、芯棒を打設することにより該アンカーピンの先端部の拡張部を拡張することが可能な芯棒打込み式アンカーであるものである。
【００１３】
本発明によれば、アンカーピンは、ハンマーにより芯棒を打設することによりアンカーピンの先端部の拡張部を拡張することが可能な芯棒打込み式アンカーを用いているので、本体打込み式アンカーのように別途打込み棒が必要でなく、また接着式アンカーのように別途樹脂も必要としないので、コンクリートの断面修復を容易に行うことができる。
【００１４】
本考案のうち第３の態様に係るものは、第１の態様または第２の態様に係るコンクリートの断面修復用補強金具であって、笠部材の骨竿は、放射方向に向かうに従い、アンカーの先端部方向に湾曲するものである。
【００１５】
本考案によれば、笠部材の骨竿は放射方向に向かうに従いアンカーピンの先端部方向に湾曲しているので、笠部材の骨竿の剛性が強くなり、コンクリートの剥離箇所に充填される断面修復材を強く押さえ込むことができる。
【考案の効果】
【００１６】
本考案のコンクリートの断面修復用補強金具によれば、笠部材がアンカーピンと一体的に形成されているので、コンクリートの断面修復の施工を容易にすることができるとともに、断面修復材の剥落を防止することができる。
【図面の簡単な説明】
【００１７】
【図１】本考案の一実施形態におけるコンクリートの断面修復用補強金具の上部斜視図である。
【図２】同コンクリートの断面修復用補強金具の上面図である。
【図３】同コンクリートの断面修復用補強金具の下部斜視図である。
【図４】同コンクリートの断面修復用補強金具の下面図である。
【図５】同コンクリートの断面修復用補強金具を用いて行う断面修復作業工程を示す断面工程図である。
【図６】同コンクリートの断面修復用補強金具を用いて行う断面修復作業工程のフローチャートを示す図である。
【図７】（ａ）従来のコンクリート構造物の補修金具のアンカー部品を示す図である。            （ｂ）同コンクリート構造物の補修金具の羽根部材の断面図である。            （ｃ）同羽根部材の底面図を示す図である。
【考案を実施するための形態】
【００１８】
以下、本考案にかかるコンクリートの断面修復用補強金具の一実施形態について図面を参照にしながら説明する。ここで、図１は本考案の一実施形態におけるコンクリートの断面修復用補強金具の上部斜視図であり、図２は同コンクリートの断面修復用補強金具の上面図であり、図３は同コンクリートの断面修復用補強金具の下部斜視図であり、図４は同コンクリートの断面修復用補強金具の下面図である。
【００１９】
コンクリートの断面修復用補強金具１は、コンクリートの剥離箇所に断面修復材である樹脂モルタルを充填する断面修復工事に使用されるものであって、アンカーピン２と、笠部材３とから構成されている。なお、本実施形態では、コンクリートの断面修復用補強金具１を、アンカーピン２と笠部材３とから構成させたが、他の構成部品などを備えるものであってもよい。
【００２０】
アンカーピン２は、先端部に軸方向に４本のスリットが形成された拡張部４を備えるアンカーピン本体５と、アンカーピン本体５内を貫通して配置された芯棒６とを有している。本実施形態のアンカーピン２は、ハンマーで芯棒６を打設することによりアンカーピン２の先端部の拡張部４が拡張する芯棒打込み式アンカーが用いられている。そして、アンカーピン本体５から出ている芯棒６の基端部をハンマー等で叩き込むことにより、アンカーピン本体４のコンクリートに埋め込まれた先端部分の拡張部４が開き、コンクリートの穴の内周壁に喰い込みアンカーピン２がコンクリートに固着される。なお、アンカーピン本体５および芯棒６の素材として、ステンレス鋼製の素材を使用している。
【００２１】
笠部材３は、アンカーピン２（アンカーピン本体５）の基端部にアンカーピン２と一体的に設けられ、アンカーピン２（アンカーピン本体５）から放射方向に向かって６本の骨竿７が形成されている。なお、本実施形態では、骨竿７を６本設けたが、これに限らず、３本や９本などの複数本設けたものであってもよい。また、本実施形態では、笠部材３とアンカーピン２とを一体として製造させているが。これに限らず、アンカーピン本体５の基端部に雄ネジを設け、そのアンカーピン本体５の雄ネジと笠部材３の中央部の雌ネジに接着材を塗布して螺合させて一体化してもよい。この笠部材３の骨竿７は、アンカーピン２（アンカーピン本体５）から放射方向に向かうに従い、アンカーピン２の先端部方向に湾曲している。換言すると、笠部材３の骨竿７は、骨竿７の先端に向かうに従い、アンカーピン２の先端部方向に向かって湾曲している。
【００２２】
次に、本考案の一実施形態におけるコンクリートの断面修復用補強金具１を用いたコンクリートの断面修復手順について図５および図６を用いて説明する。ここで、図５は本考案の一実施形態におけるコンクリートの断面修復用補強金具を用いて行う断面修復作業工程を示す工程断面図であり、図６は同断面修復作業工程のフローチャートを示す図である。なお、本実施形態では、学校などのコンクリート構造物のコンクリートの剥落箇所を断面修復材を用いて修復する工程について説明する。なお、本実施形態では、断面修復材として、樹脂モルタルを用いているが、これに限らず、他の断面修復材を用いてもよい。
【００２３】
まず、穿孔工程（Ｓ１）が実施される。穿孔工程では、鉄筋が腐食等してコンクリートが剥落した断面欠損部にアンカーピン２を差し込むための穴を穿孔するための工程である（図５（ａ）参照）。具体的には、鉄筋が腐食等してコンクリートが剥落し、露出しているコンクリート面にドリルを用いてアンカーピン２のサイズに見合った穴が穿孔される。なお、コンクリートの断面欠損部の表面に脆弱物が付着している場合は、脆弱物を落としてから、穿孔工程が実施される。
【００２４】
次に、アンカーピン固定工程（Ｓ２）が実施される。アンカーピン固定工程では、穿孔工程において穿孔された穴にアンカーピン２が挿入され、アンカーピン２が固定される（図５（ｂ）、図５（ｃ）、図５（ｄ）参照）。具体的には、穿孔工程において穿孔された穴にアンカーピン２を挿入した後に、ハンマーで芯棒６を打設することによりアンカーピン２の先端部の拡張部４を拡張させて穿孔された穴の内面壁に喰い込ませ、アンカーピン２が固定される。このように、本実施形態では、ハンマーにより芯棒６を打設することによりアンカーピン２の先端部の拡張部４を拡張することが可能な芯棒打込み式アンカーを用いているので、コンクリートにアンカーピン２を容易に固定することができる。
【００２５】
次に、プライマー塗布工程（Ｓ３）が実施される。プライマー塗布工程は、塗布する樹脂モルタルの接着を高めるために行われる下地処理工程であり、この下地処理を行うことにより、樹脂モルタルを塗布しても樹脂モルタルがめくれにくくなる。具体的には、コンクリートの断面欠損部表面に樹脂モルタルに見合ったプライマーが塗布される。なお、本実施形態では、プライマーとして、エポキシ樹脂系プライマーが用いられている。
【００２６】
次に、断面修復材充填工程（Ｓ４）が実施される。断面修復材充填工程は、プライマー塗布工程により塗布されたプライマーの可使時間内に実施され、笠部材３の上部から断面修復材である樹脂モルタルが充填される。これにより、笠部材３は放射方向に向かって６本の骨竿７が形成されているので、アンカーピン２をコンクリートに穿孔された穴に固定した状態で、断面欠損部に樹脂モルタルを充填した場合でも、樹脂モルタルは、笠部材３の骨竿７と骨竿７の間を介して、アンカーピン２の先端部側に充填することができる。これにより、断面欠損部の全域に容易に樹脂モルタルを充填させることができる。また、この場合、笠部材３の骨竿７は放射方向に向かうに従いアンカーピン２の先端部方向に湾曲しているので、笠部材３の骨竿７の剛性が強くなり、コンクリートの剥離箇所に充填される樹脂モルタルを強く押さえ込むことができる。
【００２７】
次に、養生工程（Ｓ５）が実施される。養生工程では、断面欠損部に充填された樹脂モルタルが完全に硬化するまで養生される。
【００２８】
以上説明したように、本実施形態では、笠部材３がアンカーピン２と一体的に形成されているので、コンクリートの断面修復の施工を容易に行うことができ、作業時間も短縮することができる。また、笠部材３がアンカーピン２と一体的に形成されているので、笠部材とアンカーピンとがネジ結合で形成された場合のように断面修復材が元のコンクリート躯体との界面で剥落するおそれもなく、樹脂モルタルの剥落を防止することができる。
【００２９】
なお、今回開示された実施の形態はすべての点で例示であって制限的なものではないと考えられるべきである。さらに本考案の範囲は、上記した説明ではなく特許請求の範囲の記載によって示され、特許請求の範囲と均等の意味及び範囲内でのすべての変更が含まれることが意図される。
【符号の説明】
【００３０】
１  コンクリートの断面修復用補強金具
２  アンカーピン
３  笠部材
４  拡張部
５  アンカーピン本体
６  芯棒
７  骨竿
【図１】
0003177016.tif 000003
【図２】
0003177016.tif 000004
【図３】
0003177016.tif 000005
【図４】
0003177016.tif 000006
【図５】
0003177016.tif 000007
【図６】
0003177016.tif 000008
【図７】
0003177016.tif 000009